(57)【要約】【課題】ピット冠水によるエレベータ制御機器の損傷や異常発生を防止できるエレベータ遠隔監視装置を提供する。【解決手段】  第１液面検出装置２が動作するときから、第２液面検出装置５が動作するまでの時間を計測し、第２液面検出装置５からエレベータ機器装置３が冠水するまでの所要時間を予測することで、ピットに冠水した水位の上昇に見合って、通報の度合いを変えるようにしたので、保守員が冠水水位の進み具合が緊急の現場に優先的に冠水からの復帰を行え、重大な事故を未然に防止する。【選択図】図１
2015137156.tif 000002
【特許請求の範囲】
【請求項１】
ピット内に任意の場所に設置された第１液面検出装置と、ピット内に任意の場所に設置されたエレベータ制御用機器装置と、前記エレベータ制御用機器装置より所定寸法下方に設置された第２液面検出装置と、エレベータの状態を監視する監視端末装置を備えたエレベータ遠隔監視装置において、前記監視端末装置は、前記第１液面検出装置が動作するときから、前記第２液面検出装置が動作するまでの時間を計測し、前記第２液面検出装置から前記エレベータ制御用機器装置が冠水するまでの所要時間を予測する機能を有することを特徴とするエレベータ遠隔監視装置。
【請求項２】
請求項１において、前記監視端末装置は、前記所要時間を予測する機能に加え、予測された所要時間と予め決められた保守員到着予測時間とを比較し、前記所要時間が保守員到着予測時間より長いか短いかを判定するとともに、前記所要時間が短いと判定した場合、緊急出勤指示を管制センタを介して保守員へ送信する機能を有することを特徴とするエレベータ遠隔監視装置。
【請求項３】
請求項１において、監視監視端末装置は、第１液面検出装置が動作してから、第２液面検出装置が動作するまでの時間を計測して第２液面検出装置からエレベータ制御用機器装置が冠水されるまでの所要時間を予測する機能、予測された所要時間を管制センタに送信する機能を有し、管制センタは、受信した所要時間と予め決められた保守員到着予測時間とを比較して前記所要時間が保守員到着予測時間より長いか短いかを判定する機能、前記所要時間が短いと判定した場合、緊急出勤指示を保守員へ送信する機能を有することを特徴とするエレベータ遠隔監視装置。
【発明の詳細な説明】
【技術分野】
【０００１】
本発明は、エレベータのピット冠水時ピット内エレベータ機器状態の予測および予測による保守員の作業指示の機能を有するエレベータ遠隔監視装置に関するものである。
【背景技術】
【０００２】
従来、エレベータの昇降路ピット内が冠水する場合、ピット内に設定された液面検出装置の動作により、かごが特定階に到着し、休止する運転となっている。さらに、ピット内に２個の液面検出装置を床から異なる高さとなるように設置し、第１検出装置が冠水を検知するとかごを特定階へ退避させ、その状態で第２検出装置が冠水を検出すると電源を遮断する技術が知られている。
【先行技術文献】
【特許文献】
【０００３】
【特許文献１】実開昭５８−１５４２６５号公報
【特許文献２】実開平２−１３２０８１号公報
【発明の概要】
【発明が解決しようとする課題】
【０００４】
上記のような従来のピット冠水退避運転を行うと同時に、エレベータ遠隔監視装置がエレベータ冠水の情報を管制センタに送信し、管制センタは保守員に作業指示を送信する。しかしながら、冠水の進み具合が速いとき、保守員が到着した時既にピット内に設置しているエレベータ制御用機器装置まで冠水してしまい、冠水から復帰しても、エレベータが正常運転できない可能性がある。
【０００５】
本発明の目的は、ピット冠水によるエレベータ制御機器の損傷や異常発生を防止できるエレベータ遠隔監視装置を提供することにある。
【課題を解決するための手段】
【０００６】
本発明の望ましい実施態様においては、ピット内に任意の場所に設置された第１液面検出装置と、ピット内に任意の場所に設置されたエレベータ制御用機器装置と、前記エレベータ制御用機器装置より所定寸法下方に設置された第２液面検出装置と、エレベータの状態を監視するするとともに、監視状況を管制センタに通報する監視端末装置を備えたエレベータ遠隔監視装置おいて、前記監視端末装置は、前記第１液面検出装置が動作してから、前記第２液面検出装置が動作するまでの時間を計測し、前記第２液面検出装置から前記エレベータ制御用機器装置が冠水されるまでの所要時間を予測する機能を有することを特徴とする。
【０００７】
また、本発明の望ましい実施態様においては、監視端末装置は、第１液面検出装置が動作してから、第２液面検出装置が動作するまでの時間を計測して第２液面検出装置からエレベータ制御用機器装置が冠水されるまでの所要時間を予測する機能、予測された所要時間と予め決められた保守員到着予測時間とを比較し、前記所要時間が保守員到着予測時間より長いか短いかを判定する機能、前記所要時間が短いと判定した場合、緊急出勤指示を管制センタを介して保守員へ送信する機能を有することを特徴とする。
【０００８】
また、本発明の望ましい実施態様においては、監視端末装置は、第１液面検出装置が動作してから、第２液面検出装置が動作するまでの時間を計測して第２液面検出装置からエレベータ制御用機器装置が冠水されるまでの所要時間を予測する機能、予測された所要時間を管制センタに送信する機能を有し、管制センタは、受信した所要時間と予め決められた保守員到着予測時間とを比較して前記所要時間が保守員到着予測時間より長いか短いかを判定する機能、前記所要時間が短いと判定した場合、緊急出勤指示を保守員へ送信する機能を有することを特徴とする。
【発明の効果】
【０００９】
本発明によれば、ピットに冠水した水位の上昇に見合って、通報の度合いを変えるようにしたので、保守員は、冠水水位の進み具合が緊急の現場を優先的に冠水からの復帰を行うことができ、重大な事故を未然に防止できるエレベータ遠隔監視装置を提供することができる。
【図面の簡単な説明】
【００１０】
【図１】本発明の実施例１、実施例２によるエレベータ冠水検出装置と遠隔監視監視端末装置と管制センタの概略図である。
【図２】本発明の実施例１によるエレベータ冠水発生後のフローチャート図である。
【図３】本発明の実施例２によるエレベータ冠水発生後のフローチャート図である。
【発明を実施するための形態】
【００１１】
以下、本発明の一実施形態を図１（概略図）を用いて説明する。
【００１２】
図１において、１は、エレベータの昇降路のピットである。２は、ピット内に設置され、ピットへの冠水を検出する第１の冠水検出器（以下、フロートスイッチと呼ぶ）である。第１のフロートスイッチ２の設置場所の上方にエレベータの制御用機器装置３が設置されている。
【００１３】
上記機器装置３の所定寸法Ｌ１（４）の下方に、第２のフロートスイッチ５を設置する。
【００１４】
また、上記第１のフロートスイッチ２と第２のフロートスイッチ５との距離を測定寸法Ｌ２（６）とする。そして、ピット１が冠水しているときの水位を水位７とする。
【００１５】
また、８はエレベータ制御盤である。８ａは制御盤８内の入力処理装置であり、前記機器装置３の状態によって、エレベータの運転制御を行っている。９はエレベータの監視端末装置である。９ａは、監視端末装置９内の入力処理装置であり、９ｂは通信処理装置であり、９ｃは演算処理装置である。
【００１６】
そして、１０は管制センタである。１０ａは管制センタ１０内の通信処理装置である。１１は保守員である。
［実施例１］
以下、実施例１によるエレベータ冠水発生後の動作を図２を用いて説明する。
【００１７】
冠水発生後、図２のＳＴ００１は、水位７が第１フロートスイッチ２の所定位置まで到達しているかどうかを判断する。水位７が第１フロートスイッチ２の所定位置に到達すると、第１フロートスイッチ２は水位検出信号を監視端末装置９の入力処理装置９ａへ送信する。
【００１８】
監視端末装置９が受信すると、通信処理装置９ｂより管制センタ１０へ冠水発報をする（ＳＴ００２）。管制センタ１０が冠水発報を受信後、通信処理装置１０ａより作業員１１へ連絡する。一方、監視端末装置９に設定されたタイマのカウントを開始する（ＳＴ００３）。その後、演算処理装置９ｃにより、水位７が第２のフロートスイッチ５の所定位置まで到達しているかどうかを判定する（ＳＴ００４）。水位７が第２フロートスイッチ５の位置に到達すると、第２フロートスイッチ５は水位検出信号を監視端末装置９の入力処理装置９ａへ送信する。
【００１９】
次に、上記ＳＴ００３にカウント開始したタイマのカウントが終了し（ＳＴ００５）、時間Ｔｉｍｅを記録する。そして、監視端末装置９の演算処理装置９ｃが冠水進行速度と機器冠水時間を算出する（ＳＴ００６）。冠水進行速度Ｖ＝測定寸法Ｌ２／時間Ｔｉｍｅとする。機器冠水時間Ｔｉｍｅｌｉｍｉｔ＝所定寸法Ｌ１／冠水進行速度Ｖとする。
【００２０】
そして、機器冠水時間Ｔｉｍｅｌｉｍｉｔが予め決められた所定時間Ｔと比較する（ＳＴ００７）。所定時間Ｔより短い場合、緊急出動を監視端末装置９から管制センタ１０に送信する（ＳＴ００８）。所定時間Ｔより長い場合、機器冠水恐れありを監視端末装置９から管制センタ１０へ送信する（ＳＴ００９）。管制センタ１０が受信後、作業員１１へ連絡する（ＳＴ０１０）。
［実施例２］
以下、実施例２によるエレベータ冠水発生後の動作を図３により説明する。
【００２１】
冠水発生後、図３のＳＴ１０１は、水位７が第１フロートスイッチ２の所定位置まで到達しているかどうかを判断する。水位７が第１フロートスイッチ２の所定位置に到達すると、第１フロートスイッチ２は水位検出信号を監視端末装置９の入力処理装置９ａへ送信する。
【００２２】
監視端末装置９が受信すると、通信処理装置９ｂより管制センタ１０へ冠水発報をする（ＳＴ１０２）。管制センタ１０が冠水発報を受信後、通信処理装置１０ａより作業員１１へ連絡する。一方、監視端末装置９に設定されたタイマのカウントを開始する（ＳＴ１０３）。
【００２３】
その後、演算処理装置９ｃにより、水位７が第２のフロートスイッチ５の所定位置まで到達しているかどうかを判定する（ＳＴ１０４）。水位７が第２フロートスイッチ５の所定位置に到達すると、第２フロートスイッチ５は水位検出信号を監視端末装置９の入力処理装置９ａへ送信する。
【００２４】
次に、上記ＳＴ１０３にカウント開始したクイマのカウントを終了し（ＳＴ１０５）、時間Ｔｉｍｅを記録する。そして、監視端末装置９の演算処理装置９ｃが冠水進行速度と機器冠水時間を算出する(ＳＴ１０６）。冠水進行速度Ｖ＝測定寸法Ｌ２／時間Ｔｉｍｅとする。機器冠水時間Ｔｉｍｅｌｉｍｉｔ＝所定寸法Ｌ１／冠水進行速度Ｖとする。
【００２５】
その後、監視端末装置９が機器冠水時間Ｔｉｍｅｌｉｍｉｔを管制センタ１０ヘ送信する（ＳＴ１０７）。
【００２６】
管制センタ１０が機器冠水時間Ｔｉｍｅｌｉｍｉｔが予め決められた所定時間Ｔと比較する（ＳＴ１０８）。所定時間Ｔより短い場合、緊急出動を作業員１１へ連絡する（ＳＴ１０９）。所定時間Ｔより長い場合、機器冠水恐れありを作業員１１へ連絡する（ＳＴ１１０）。
【００２７】
以上の本発明の望ましい実施例によれば、ピット冠水によるエレベータ制御機器の損傷や異常発生を防止できるエレベータ機器状態の予測方法および予測よる保守員への作業指示を出すことができる。
【符号の説明】
【００２８】
１  エレベータ昇降路のピット
２  第１フロートスイッチ
３  エレベータ制御用機器装置
４  所定距離Ｌ１
５  第２のフロートスイッチ
６  測定距離Ｌ２
７  水位
８  エレベータ制御盤
８ａ  入力処理
９  監視端末装置
９ａ  入力処理
９ｂ  通信処理
９ｃ  演算処理
１０  管制センタ
１０ａ  通信処理
１１  作業員
【図１】
2015137156.tif 000003
【図２】
2015137156.tif 000004
【図３】
2015137156.tif 000005